(57)【要約】      （修正有）【課題】２つの別個の光ファイバを互いに平行に配置した場合より占有する空間が小さい光ケーブルを提供する【解決手段】光ケーブル１は、ケーブル方向に延びて信号および／またはデータを伝送するための第１のチャネル１４を形成する少なくとも１つの光ファイバ１６を有するコア部１８を備え、コア部が、信号および／またはデータを伝送するための第２のチャネル２６を形成する少なくとも１つの光ファイバ層２８によって取り囲まれている。【選択図】図２
2020118966.tif 000002
【特許請求の範囲】
【請求項１】
ケーブル方向（１２）に延びて信号および／またはデータを伝送するための第１のチャネル（１４）を形成する少なくとも１つの光ファイバ（１６）を有するコア部（１８）を備える光ケーブル（１）であって、前記コア部（１８）は、信号および／またはデータを伝送するための第２のチャネル（２６）を形成する少なくとも１つの光ファイバ層（２８）によって取り囲まれていることを特徴とする光ケーブル（１）。
【請求項２】
前記少なくとも１つの光ファイバ（１６）のファイバコア（３４）と、前記少なくとも１つの光ファイバ層（２８）との間に、クラッド（３６）が設けられていることを特徴とする、請求項１に記載の光ケーブル（１）。
【請求項３】
前記第１のチャネル（１４）は、前記第２のチャネル（２６）とは異なる信号および／またはデータ帯域幅を有することを特徴とする、請求項１または２に記載の光ケーブル（１）。
【請求項４】
前記第２のチャネル（２６）の前記信号および／またはデータ帯域幅は、前記第１のチャネル（１４）の前記信号および／またはデータ帯域幅より低いことを特徴とする、請求項３に記載の光ケーブル（１）。
【請求項５】
前記第１のチャネル（１４）および前記第２のチャネル（２６）は、反対の方向に信号および／またはデータを伝送することを特徴とする、請求項１から４のいずれか一項に記載の光ケーブル（１）。
【請求項６】
前記少なくとも１つの光ファイバ（１６）は、ガラス光ファイバ（２０）であることを特徴とする、請求項１から５のいずれか一項に記載の光ケーブル（１）。
【請求項７】
前記少なくとも１つの光ファイバは、ポリマー光ファイバ（４０）含むことを特徴とする、請求項１から６のいずれか一項に記載の光ケーブル（１）。
【請求項８】
前記少なくとも１つの光ファイバ層（２８）は、内側クラッド（３８）と外側クラッド（４２）との間に配置されていることを特徴とする、請求項１から７のいずれか一項に記載の光ケーブル（１）。
【請求項９】
前記少なくとも１つの光ファイバ（１６）および前記少なくとも１つの光ファイバ層（２８）は、互いに強固に取り付けられていることを特徴とする、請求項１から８のいずれか一項に記載の光ケーブル（１）。
【請求項１０】
前記少なくとも１つの光ファイバ（１６）および前記少なくとも１つの光ファイバ層（２８）は、互いに取外し可能に取り付けられていることを特徴とする、請求項１から９のいずれか一項に記載の光ケーブル（１）。
【請求項１１】
前記少なくとも１つの光ファイバ（１６）は、シングルモード光ファイバ（１６）であることを特徴とする、請求項１から１０のいずれか一項に記載の光ケーブル（１）。
【請求項１２】
前記少なくとも１つの光ファイバ（１６）は、マルチモード光ファイバ（１６）であることを特徴とする、請求項１から１０のいずれか一項に記載の光ケーブル（１）。
【請求項１３】
前記第１のチャネル（１４）を介して映像、画像、および音声の信号および／またはデータのうちの少なくとも１つを伝送するための、請求項１から１２のいずれか一項に記載の光ケーブル（１）の使用。
【請求項１４】
前記第２のチャネル（２６）を介してユーザ入力信号および／またはデータを伝送するための、請求項１から１２のいずれか一項に記載の光ケーブル（１）の使用。
【請求項１５】
光ケーブル（１）を製造する方法であって、ケーブル方向（１２）に延びて信号および／またはデータを伝送するための第１のチャネル（１４）を形成する少なくとも１つの光ファイバ（１６）を備えるコア部（１８）を、信号および／またはデータを伝送するための第２のチャネル（２６）を形成する少なくとも１つの光ファイバ層（２８）によって取り囲むステップを含む方法。
【発明の詳細な説明】
【技術分野】
【０００１】
本発明は、ケーブル方向に延びて第１のチャネルを形成する少なくとも１つの光ファイバを有するコア部を備える光ケーブルに関する。さらに、本発明は、光ケーブルを製造するプロセスに関する。
【背景技術】
【０００２】
光ケーブルには、従来の銅ケーブルに比べて、より速い信号および／またはデータ伝送速度を実現することができるという利点がある。したがって、特に超高精細視覚システムの出現に伴い、光ケーブルには大きな期待がかけられている。異なるデータ、たとえば対話型ディスプレイの入力および出力データを伝送するために、コア部により多くの光ファイバが互いに平行に配置されたケーブルが提供されることがある。したがって、各光ファイバに接続ポートを提供する必要があり、ケーブルシステムの空間要件が増大する。
【発明の概要】
【発明が解決しようとする課題】
【０００３】
したがって、本発明の目的は、空間要件の低い光ケーブルを提供することである。
【課題を解決するための手段】
【０００４】
本発明によれば、この問題は、第２のチャネルを形成する少なくとも１つの光ファイバ層によってコア部が取り囲まれていることから、前述の光ケーブルによって解決される。
【０００５】
さらに、この問題は、信号および／またはデータを伝送するための第１のチャネルを形成する少なくとも１つの光ファイバを備えるコア部を、信号および／またはデータを伝送するための第２のチャネルを形成する少なくとも１つの光ファイバ層によって取り囲むステップを含む、光ケーブルを製造するプロセスによって解決される。
【０００６】
本発明の解決策によって、２つのチャネルを備える光ケーブルが提供され、第２のチャネルが第１のチャネルを取り囲む。したがって、光ケーブル、したがってケーブルシステムの空間要件を低減させる。本発明の光ケーブルの接続のために、各チャネルに対して別個の接続ポートを有するのではなく、単一の接続ポートを提供することができる。さらに、各チャネルをそれぞれのタスクに合わせて最適化することができ、したがって光ケーブルの過剰性能を防止することができる。したがって、本発明の光ケーブルは、小型でコスト効率的な設計を提供する。
【０００７】
本発明は、それぞれの技術的効果に関して互いに独立しており、任意に組み合わせることができる以下の特徴によって、さらに改善することができる。
【０００８】
たとえば、第１の有利な実施形態によれば、第１のチャネルは、ケーブル方向に動く第１の順方向信号および／またはデータ帯域幅を有する順方向チャネルを形成することができる。第２のチャネルは、順方向チャネルと反対の方向に動く第２の逆方向信号および／またはデータ帯域幅を有する逆方向チャネルを形成することができる。したがって、処理ユニットおよび出力ユニットなどの２つのユニット間で信号および／またはデータの入力および出力を伝送する双方向光ケーブルが提供される。
【０００９】
コア部は、好ましくは、少なくとも１つの光ファイバ層によって径方向に取り囲むことができ、したがって対称の同軸に配置された光ケーブルを提供し、ユニットの相補形の接続部品への接続を容易にすることができる。
【００１０】
コア部は、少なくとも１つのガラス光ファイバを備えることができる。ガラス光ファイバによって、高速の信号および／またはデータ伝送を実現することができる。コア部は、好ましくは、ガラス光ファイバのバンドルを備えることができる。
【００１１】
好ましくは、コア部の少なくとも１つの光ファイバのファイバコアと、少なくとも１つの光ファイバ層との間に、クラッドが配置される。クラッドは、コア部および／または光ファイバ層のファイバコア材料と比べてより屈折率の低い少なくとも１つの層を備えることができる。クラッドは、ファイバの伝送を改善し、コア部と光ファイバ層との間のあらゆる干渉を防止することができる。
【００１２】
光ファイバ層は、アクリルガラスおよび／またはポリスチレンなどのポリマー光ファイバ材料を含むことができる。ポリマー光ファイバは、その低い価格ならびに屈曲および伸張下での高い頑健性を特徴とする。
【００１３】
光ファイバ層の直径、特に外径は、約１ｍｍとすることができる。したがって、外径は大きすぎないため、ケーブルの屈曲および／または伸張による光ファイバ層の損傷を低減させることができる。
【００１４】
光ファイバ層は、好ましくは、光ファイバ層の信号および／またはデータ伝送をさらに改善するために、外側クラッドによって取り囲むことができる。好ましくは、光ファイバ層は、クラッドと外側クラッドとの間に挟まれる。このとき光ファイバ層、クラッド、および外側クラッドは、パイプの断面に光導波路を形成することができる。
【００１５】
有利には、第１のチャネルの信号および／またはデータ帯域幅は、第２のチャネルの信号および／またはデータ帯域幅とは異なることができる。したがって、非対称の信号および／またはデータ帯域幅を有する光ケーブルを提供することができる。好ましくは、第２のチャネルの信号および／またはデータ帯域幅は、第１のチャネルの帯域幅より小さくすることができる。したがって、第１のチャネルは、超高精細撮像システムの画像出力データなどの高速のデータおよび／または信号を伝送することを可能とすることができ、第２のチャネルは、低速のデータおよび／または信号を伝送するように適合することができる。したがって、これらのチャネルをそれぞれのタスクに合わせて最適化することができ、過剰性能をさらに防止することができる。
【００１６】
少なくとも１つの光ファイバは、シングルモード光ファイバとすることができ、ファイバコア径は、クラッドの厚さよりはるかに小さい。ファイバコア径は、約９μｍとすることができ、クラッドの外径は、約１２５μｍとすることができる。シングルモード光ファイバには、長い距離、すなわち約１００ｍを超える長さでも、低い信号および／またはデータ損失を実現することができるという利点がある。さらに、より長い距離でも高い帯域幅を実現することができる。
【００１７】
別法として、少なくとも１つの光ファイバは、マルチモード光ファイバとすることができ、ファイバコア径は、シングルモード光ファイバのファイバコア径より大きい。マルチモード光ファイバのファイバコア径は、約５０μｍとすることができ、クラッドの外径は、約１２５μｍとすることができる。シングルモード光ファイバと比べて、マルチモード光ファイバで可能な最大帯域幅は低い。しかし、マルチモード光ファイバは、より簡単かつ低コストに生産できることにその利点がある。さらに、ファイバコア径がより大きいため、光ファイバの終端をより容易にすることができる。特に、短い距離では、マルチモード光ファイバは高い帯域幅を実現することができる。
【００１８】
少なくとも１つのマルチモード光ファイバは、ステップインデックス構成とすることができる。ステップインデックス光ファイバは、ファイバコア内の屈折率が均一であり、ファイバコアとクラッドの境界面では屈折率が急激に減少することを特徴とする屈折率プロファイルを有することができ、たとえば高純度の溶融石英ガラスをチタン、ゲルマニウム、またはホウ素などの異なる濃度の材料でドープすることによって形成することができる。ステップインデックスマルチモード光ファイバの製造をより容易にすることができ、必要とされるコストをグレーデッドインデックスマルチモード光ファイバより少なくすることができる。
【００１９】
別法として、少なくとも１つのマルチモード光ファイバは、「ＯＭ５」光ファイバなどのグレーデッドインデックス構成とすることができる。グレーデッドインデックス光ファイバは、ファイバの光軸からの径方向距離が増大するにつれて屈折率が減少するファイバコアを有することができる。したがって光線は、正弦波、特に放物線状のプロファイルをたどる。このプロファイルの結果、ファイバコアで光線の集束が連続的に繰り返され、したがってモード分散が最小になる。さらに、ステップインデックスマルチモード光ファイバと比べて、情報伝達能力を増大させることができる。
【００２０】
本発明のさらなる態様によれば、光ファイバ層および少なくとも１つの光ファイバは、互いに強固に取り付けることができ、たとえばコア部を光ファイバ層によって被覆することができる。強固な取付けによって、部品が緩むのを防止することができ、光ファイバ層は、コア部に対する頑健な外皮として働くことができる。
【００２１】
別法として、光ファイバ層は、コア部に取外し可能に取り付けることができる。光ファイバ層は、コア部を受け取ることが可能なパイプとして形成することができる。コア部は、光ファイバ層に対してケーブル方向に本質的に平行に可動とすることができる。この実施形態では、コア部および／または光ファイバ層は、他方から独立して取り外して交換することができる。したがって、ある部品が損傷した場合、他の部品はそのままにしながら、損傷した部品を交換することができる。
【００２２】
光ファイバ層は、好ましくは、押出しによって形成することができる。
【００２３】
本発明のさらなる態様によれば、本発明の光ケーブルは、第１のチャネルを介して映像、画像、および音声のデータおよび／または信号のうちの少なくとも１つを伝送するために使用することができる。第１のチャネルは、好ましくは、高速の信号および／またはデータ伝送を有することができ、したがって特に超高精細の画像または映像を容易に表示することができる。
【００２４】
本発明の別の態様によれば、本発明の光ケーブルは、第２のチャネルを介してユーザ入力信号および／またはデータを伝送するために使用することができる。ユーザ入力は、音声、映像、およびタッチの事象のうちの少なくとも１つとすることができる。たとえば、声、身振り、および／またはタッチによってインターフェースを制御することができ、この情報が第２のチャネルを介して送られる。第２のチャネルは、好ましくは、ユーザ入力信号および／またはデータがそのような高い帯域幅を必要としないため、第１のチャネルより低速の信号および／またはデータ伝送を有することができ、過剰性能を防止することによって光ケーブルのコストをさらに低減させることができる。
【００２５】
以下、本発明による光ケーブルについて、例示的な実施形態を示す添付の図面を参照して、より詳細に説明する。
【００２６】
これらの図では、機能および／または構造に関して互いに対応する要素に対して、同じ参照番号が使用される。
【００２７】
様々な態様および実施形態の説明によれば、図面に示されている要素は、これらの要素の技術的効果が特定の応用例に必要でない場合、省略することができ、さらに逆も同様であり、すなわち図示されていないまたは図を参照して説明されていないが上述された要素は、それらの特定の要素の技術的効果が特有の応用例で有利である場合、追加することができる。
【図面の簡単な説明】
【００２８】
【図１】本発明の光ケーブルの例示的な実施形態を有するケーブルシステムの概略図である。
【図２】本発明の光ケーブルの例示的な実施形態の断面図である。
【発明を実施するための形態】
【００２９】
本発明による光ケーブル１が図１に示されており、光ケーブル１は、２つのユニット２、４を接続する。ユニット２、４および光ケーブル１は、ケーブルシステム６を形成する。ユニット２は、データを生成する処理ユニット８とすることができ、ユニット４は、処理ユニット８によって生成されたデータを出力するディスプレイおよび／またはスピーカシステムなどの出力ユニット１０とすることができる。したがって、光ケーブル１は、ケーブル方向１２に処理ユニットから出力ユニット１０へ第１のチャネル１４を介してデータを伝送する。
【００３０】
第１のチャネル１４は、光ケーブル１のコア部１８に少なくとも１つの光ファイバ１６によって形成される。この例示的な実施形態では、コア部１８は、単一の光ファイバ１６によって形成される。しかし、図示されていない代替実施形態では、コア部１８は、光ファイバ１６のバンドルによって形成することができる。好ましくは、光ファイバ１６は、信号および／またはデータの高速伝送が可能なガラス光ファイバ２０である。したがって、処理ユニット８から出力ユニット１０へ最高約４０Ｇｂｐｓの高速で情報を伝送することができる。
【００３１】
出力ユニット１０は、ユーザ２４が処理ユニット８へコマンドを送るためのインターフェース２２として働く対話型ユニットとすることができる。インターフェース２２は、映像、音声、およびタッチの事象のうちの少なくとも１つによって制御することができる。たとえば、インターフェース２２は、位置、圧力、および運動のうちの少なくとも１つの情報を処理ユニット８へ伝送するタッチセンシティブディスプレイとすることができる。追加または別法として、インターフェース２２は、声で制御することができ、ユーザの音声コマンドが処理ユニット８へ伝送される。前記情報を処理ユニット８へ伝送するために必要とされる帯域幅は、処理ユニット８から出力ユニット１０へ信号および／またはデータを伝送するための要件より低い。
【００３２】
ユーザ入力２５を処理ユニット８へ伝送するために、第２のチャネルを提供する必要がある。知られているケーブルシステム６では、別個の光ケーブル１が提供されることがあり、それぞれが単一のチャネルを形成する。しかし、各チャネルに対してユニット２、４に別個の接続ポートを提供しなければならないため、これには多くの空間が必要であり、ケーブルシステム６のサイズおよびコストがさらに増大する。
【００３３】
本発明の光ケーブル１の機能および構造について、本発明の光ケーブル１のケーブル方向１２に直交する断面図２７を示す図２を参照して、より詳細に次に説明する。
【００３４】
小型でコスト効率的な設計を備えた光ケーブル１を有するために、コア部１８を取り囲む少なくとも１つの光ファイバ層２８によって、第２のチャネル２６が形成される。したがって、同軸に配置されたチャネルを有する光ケーブル１が提供される。したがって、各チャネルに対する接続ポートも同軸に配置することができ、２つの別個の接続ポートを有する場合より占有する空間が小さくなる。
【００３５】
この例示的な実施形態では、第１のチャネル１４は、順方向チャネル３０を形成し、第２のチャネル２６は、逆方向チャネル３２を形成し、信号および／またはデータを反対の方向に伝送する。したがって、双方向光ケーブル１が形成される。第２のチャネル２６は、第１のチャネル１４とは独立して、その要件に応じて設計することができ、光ケーブル１の過剰性能を防止し、光ケーブル１のコストをさらに削減することができる。
【００３６】
コア部１８は、好ましくは、ファイバコア３４と、ファイバコア３４を径方向に取り囲むクラッド３６とを有するガラス光ファイバ２０を備える。クラッド３６は、ファイバコア３４による伝送をさらに改善することができる。クラッド３６は、異なるクラッド材料の複数の層を備えることができ、ファイバコア３４より低い屈折率を有することができる。クラッド３６は、クラッド３６とファイバコア３４との間の境界における内部全反射によって、光をファイバコア３４に閉じ込める。したがって、第１のチャネル１４の光がクラッド３６を通過して場合により第２のチャネルに干渉を引き起こすことが防止される。
【００３７】
適用要件に応じて、光ファイバ１６は、シングルモードまたはマルチモードの光ファイバとすることができる。シングルモード光ファイバには、長い距離、すなわち約１００ｍを超える長さでも、低い信号および／またはデータ損失を実現することができるという利点がある。さらに、より長い距離でも高い帯域幅を実現することができる。シングルモード光ファイバと比べて、マルチモード光ファイバで可能な最大帯域幅は低い。しかし、マルチモード光ファイバは、より簡単かつ低コストに生産できることにその利点がある。さらに、ファイバコア径がより大きいため、光ファイバの終端をより容易にすることができる。特に、短い距離では、マルチモード光ファイバは高い帯域幅を実現することができる。
【００３８】
第２のチャネル２６は、コア部１８を取り囲む少なくとも１つの光ファイバ層２８によって形成される。この例示的な実施形態では、光ファイバ層２８は、クラッド３６に密接に接触している。したがって、クラッド３６は、第２のチャネル２６に対する内側クラッド３８としても働く。光ファイバ層２８および光ファイバ１６は互いに強固に取り付けることができ、これら２つの構成要素間のあらゆる相対運動を防止することができる。光ファイバ層２８および光ファイバ１６は、互いに接着によって接合することができる。別法として、光ファイバ層２８は、光ファイバ１６を受け取るように適合されたパイプ形の断面を有する別個の部品とすることができる。光ファイバ１６は、パイプ形の光ファイバ層２８に対して可動とすることができ、したがって他の部品に影響を及ぼすことなく、損傷した部品を取り外して交換することができる。
【００３９】
光ファイバ層２８は、好ましくは、ＰＭＭＡなどのポリマー光ファイバ４０を備えることができる。これは、ポリマー光ファイバ４０がガラス光ファイバより高い歪みおよび屈曲耐性を有し、より安価であることが分かっているため、特に有利である。この例示的な実施形態では、第２のチャネル２６の伝送速度要件は第１のチャネル１４と比べて比較的低いため、ポリマー光ファイバ４０によってこれらの要件を満たすことができる。
【００４０】
光ファイバ層２８を取り囲む外側クラッド４２を提供することができ、外側クラッド４２は、光波を閉じ込めて屈折を引き起こすための外部境界として働く。これにより、光ファイバ層２８による伝送がさらに改善される。これらの図には示されていないが、さらなる構成要素を提供することもできる。たとえば、光ファイバ層２８およびファイバコア３４を補強するために、外側クラッドを取り囲む被覆を提供することができる。被覆は、プラスチック層とすることができ、衝撃を吸収するとともに、過度のケーブル屈曲からの追加の保護を提供することができる。さらに、補強ファイバのバンドルを提供することができ、設置中の破砕力および過度の張力から光ファイバ層２８および／またはファイバコア３４を保護するのを助けることができる。加えて、光ケーブル１の他の構成要素を覆うケーブルジャケットを提供することができる。
【００４１】
本発明の光ケーブル１によって、複数のチャネルを有する光ケーブル１の小型でコスト効率的な設計が提供される。各チャネルの帯域幅は異なることができ、したがってそれぞれの適用要件に応じて各チャネルを最適化することができる。したがって、チャネルの過剰性能が防止される。同軸の配置により、異なるデータおよび／または信号伝送のために単一の光ケーブルを使用することができる。
【符号の説明】
【００４２】
１  光ケーブル
２  ユニット
４  ユニット
６  ケーブルシステム
８  処理ユニット
１０  出力ユニット
１２  ケーブル方向
１４  第１のチャネル
１６  光ファイバ
１８  コア部
２０  ガラス光ファイバ
２２  インターフェース
２４  ユーザ
２５  ユーザ入力
２６  第２のチャネル
２７  断面図
２８  光ファイバ層
３０  順方向チャネル
３２  逆方向チャネル
３４  ファイバコア
３６  クラッド
３８  内側クラッド
４０  ポリマー光ファイバ
４２  外側クラッド
【図１】
2020118966.tif 000003
【図２】
2020118966.tif 000004
【外国語明細書】
2020118966000001.pdf